(57)【要約】【課題】容器体内の湿度を容器体外の湿度に近づけることができる画像形成装置を提供する。【解決手段】回転する像保持体と、像保持体に向かって開口し前記開口の像保持体の回転方向における上流側の縁で像保持体の表面に端部が接触する接触部材と下流側の縁で像保持体の表面に接触して像保持体の表面の回収物を除去する清掃部材とを備えた容器体と、容器体の外側から容器体に設けられた通気孔を覆う蓋体と、容器体の通気孔を閉塞する閉塞位置と容器体の通気孔を露出させる開放位置との間で蓋体を移動させるための移動手段と、を備え、移動手段は、像保持体の回転が停止しているときに蓋体を閉塞位置から開放位置に移動させる。【選択図】図５
2019035918.tif 000002
【特許請求の範囲】
【請求項１】
回転する像保持体と、
前記像保持体に向かって開口し前記開口の前記像保持体の回転方向における上流側の縁で前記像保持体の表面に端部が接触する接触部材と下流側の縁で前記像保持体の表面に接触して前記像保持体の表面の回収物を除去する清掃部材とを備えた容器体と、
前記容器体の外側から前記容器体に設けられた通気孔を覆う蓋体と、
前記容器体の前記通気孔を閉塞する閉塞位置と前記容器体の前記通気孔を露出させる開放位置との間で前記蓋体を移動させるための移動手段と、を備え、
前記移動手段は、前記像保持体の回転が停止しているときに前記蓋体を前記閉塞位置から前記開放位置に移動させる、
ことを特徴とする画像形成装置。
【請求項２】
前記蓋体は、前記容器体の前記通気孔を露出する位置まで前記容器体に対してスライド移動することで前記容器体の内部が前記容器体の外部空間と繋がる、
ことを特徴とする請求項１に記載の画像形成装置。
【請求項３】
前記蓋体は、前記容器体の前記通気孔を露出する位置まで回転移動することで前記容器体の内部が前記容器体の外部空間と繋がる、
ことを特徴とする請求項１に記載の画像形成装置。
【請求項４】
前記通気孔は、前記容器体の互いに異なる複数の面に形成されている、
ことを特徴とする請求項１ないし３のいずれか１項に記載の画像形成装置。
【請求項５】
画像形成装置本体が設置される環境の温湿度を検出する検出手段を更に備え、
前記移動手段は、前記検出手段の検知した温湿度が所定の温湿度を超えたときに前記蓋体を前記開放位置に移動させる、
ことを特徴とする請求項１ないし４のいずれか１項に記載の画像形成装置。
【請求項６】
前記蓋体は、前記画像形成装置本体が稼動している状態では前記容器体の前記通気孔を閉塞する前記閉塞位置に位置する、
ことを特徴とする請求項１ないし５のいずれか１項に記載の画像形成装置。
【請求項７】
前記蓋体は、前記装置本体に装着されていない状態では前記閉塞位置に位置する、
ことを特徴とする請求項１ないし６のいずれか１項に記載の画像形成装置。
【発明の詳細な説明】
【技術分野】
【０００１】
本発明は、画像形成装置に関する。
【背景技術】
【０００２】
電子写真画像形成装置本体に着脱自在に装着される一方、少なくとも像担持体と、像担持体に付着した現像剤を除去するクリーニング部材と、クリーニング部材により除去された現像剤を受け入れる受入れ開口を有すると共に、一部を露出させた状態で像担持体を受入れ開口に回転自在に取り付けた廃現像剤収納部とを備えたプロセスカートリッジにおいて、像担持体、クリーニング部材及び現像剤漏れ防止部材により受入れ開口部が塞がれて密閉された廃現像剤収納部の内部と外部とを連通させる連通用開口を該廃現像剤収納部に形成したプロセスカートリッジが知られている（特許文献１）。
【先行技術文献】
【特許文献】
【０００３】
【特許文献１】特開平１１−１８４３５２号公報
【発明の概要】
【発明が解決しようとする課題】
【０００４】
本発明は、容器体内の湿度を容器体外の湿度に近づけることができる画像形成装置を提供することを目的とする。
【課題を解決するための手段】
【０００５】
前記課題を解決するために、請求項１に記載の画像形成装置は、
回転する像保持体と、
前記像保持体に向かって開口し前記開口の前記像保持体の回転方向における上流側の縁で前記像保持体の表面に端部が接触する接触部材と下流側の縁で前記像保持体の表面に接触して前記像保持体の表面の回収物を除去する清掃部材とを備えた容器体と、
前記容器体の外側から前記容器体に設けられた通気孔を覆う蓋体と、
前記容器体の前記通気孔を閉塞する閉塞位置と前記容器体の前記通気孔を露出させる開放位置との間で前記蓋体を移動させるための移動手段と、を備え、
前記移動手段は、前記像保持体の回転が停止しているときに前記蓋体を前記閉塞位置から前記開放位置に移動させる、
ことを特徴とする。
【０００６】
請求項２記載の発明は、請求項１に記載の画像形成装置において、
前記蓋体は、前記容器体の前記通気孔を露出する位置まで前記容器体に対してスライド移動することで前記容器体の内部が前記容器体の外部空間と繋がる、
ことを特徴とする。
【０００７】
請求項３記載の発明は、請求項１に記載の画像形成装置において、
前記蓋体は、前記容器体の前記通気孔を露出する位置まで回転移動することで前記容器体の内部が前記容器体の外部空間と繋がる、
ことを特徴とする。
【０００８】
請求項４記載の発明は、請求項１ないし３のいずれか１項に記載の画像形成装置において、
前記通気孔は、前記容器体の互いに異なる複数の面に形成されている、
ことを特徴とする。
【０００９】
請求項５記載の発明は、請求項１ないし４のいずれか１項に記載の画像形成装置において、
画像形成装置本体が設置される環境の温湿度を検出する検出手段を更に備え、
前記移動手段は、前記検出手段の検知した温湿度が所定の温湿度を超えたときに前記蓋体を前記開放位置に移動させる、
ことを特徴とする。
【００１０】
請求項６記載の発明は、請求項１ないし５のいずれか１項に記載の画像形成装置において、
前記蓋体は、前記画像形成装置本体が稼動している状態では前記容器体の前記通気孔を閉塞する前記閉塞位置に位置する、
ことを特徴とする。
【００１１】
請求項７記載の発明は、請求項１ないし６のいずれか１項に記載の画像形成装置において、
前記蓋体は、前記装置本体に装着されていない状態では前記閉塞位置に位置する、
ことを特徴とする。
【発明の効果】
【００１２】
請求項１に記載の発明によれば、像保持体の回転が停止している状態で容器体が開放されない場合に比べ、容器体の内部の湿度を容器体の外部の湿度に近づけることができる。
【００１３】
請求項２に記載の発明によれば、容器体内からの回収物の飛散や漏出及び容器体内への異物の混入を防止しながら容器体の外部の空気を容器体の内部に取り入れることができる。
【００１４】
請求項３に記載の発明によれば、大きな通気孔を設けて容器体の外部の空気を容器体の内部に効率よく取り入れることができる。
【００１５】
請求項４に記載の発明によれば、通気孔が複数の面に設けられていない構成と比べて、容器体の外部の空気を容器体の内部に効率よく取り入れることができる。
【００１６】
請求項５に記載の発明によれば、容器体の外部の温湿度に応じて容器体の内部の空気を換気することができる。
【００１７】
請求項６、７に記載の発明によれば、容器体内からの回収物の飛散や漏出及び容器体内へ異物の混入を防止することができる。
【図面の簡単な説明】
【００１８】
【図１】画像形成装置の概略構成の一例を示す断面模式図である。
【図２】感光体ユニット、現像装置及びクリーニング装置を示す断面模式図である。
【図３】クリーニング装置の内部構成を示す断面斜視図である。
【図４】クリーニング装置のハウジング及び通気孔を示す斜視図である。
【図５】（ａ）は画像形成装置が停止しているときの蓋体の位置を説明するクリーニング装置の断面模式図、（ｂ）は画像形成装置が画像形成動作を行っているときの蓋体の位置を説明するクリーニング装置の断面模式図である。
【図６】（ａ）は画像形成装置が停止しているときの変形例１に係る蓋体の位置を説明するクリーニング装置の断面模式図、（ｂ）は画像形成装置が画像形成動作を行っているときの変形例１に係る蓋体の位置を説明するクリーニング装置の断面模式図である。
【図７】変形例２に係る画像形成装置における偏心カムの回転動作の制御の流れを示すフローチャートである。
【図８】画像形成装置の停止状態においてトナー回収オーガの回転を行わない場合に発生する画像欠陥の例を示した模式図であるである。
【発明を実施するための形態】
【００１９】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００２０】
（１）画像形成装置の全体構成及び動作
（１．１）画像形成装置の全体構成
図１は本実施形態に係る画像形成装置１の概略構成の一例を示す断面模式図である。
画像形成装置１は、画像形成部１０と、画像形成部１０の一端に装着された用紙送り装置２０と、画像形成部１０の他の一端に設けられ、印刷された用紙が排紙される排紙部３０と、操作表示部４０と、上位機器から送信された印刷情報から画像情報を生成する画像処理部５０と、を備えて構成されている。
【００２１】
画像形成部１０は、システム制御装置１１（不図示）、露光装置１２、感光体ユニット１３、現像装置１４、転写装置１５、用紙搬送装置１６ａ、１６ｂ、１６ｃ、定着装置１７、駆動装置１８（不図示）、を備えて構成され、画像処理部５０から受け取った画像情報を用紙送り装置２０から送り込まれた用紙Ｐ上にトナー画像として形成する。
【００２２】
用紙送り装置２０は、画像形成部１０に対する用紙供給を行う。すなわち、種類（例えば、材質や厚さ、用紙サイズ、紙目）の異なる用紙Ｐを収容する複数の用紙積載部を備えており、これら複数の用紙積載部のいずれか一つから繰り出した用紙Ｐを画像形成部１０に対して供給するように構成されている。
【００２３】
排紙部３０は、画像形成部１０にて画像出力が行われた用紙Ｐの排出を行う。そのために、排紙部３０は、画像出力後の用紙Ｐが排出される排紙収容部を備えている。なお、排紙部３０は、画像形成部１０から出力される用紙束に対して、裁断やステープル（針綴じ）等の後処理を行う機能を有したものであってもよい。
【００２４】
操作表示部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２５】
（１．２）画像形成部の構成及び動作
このような構成の画像形成装置１では、画像形成のタイミングに合わせて用紙送り装置２０のうち、印刷ジョブで印刷の１枚毎に指定された用紙積載部から繰り出された用紙が画像形成部１０へ送り込まれる。
【００２６】
感光体ユニット１３は、露光装置１２の下方に、それぞれが並列して設けられ、回転駆動する像保持体としての感光体ドラム３１を備えている。感光体ドラム３１の回転方向にそって、帯電器３２、露光装置１２、現像装置１４、一次転写ローラ５２、クリーニング装置１００が配置されている。
【００２７】
現像装置１４は、内部に現像剤Ｇが収容される現像ハウジング４１を有する。現像ハウジング４１内には、感光体ドラム３１に対向して配置された現像ローラ４２が配設され、現像ローラ４２には、現像剤Ｇの層厚を規制するトリマー４６（図２  参照）が近接配置されている。
それぞれの現像装置１４は、現像ハウジング４１に収容される現像剤Ｇを除いて略同様に構成され、それぞれがイエロー（Ｙ）、マゼンタ（Ｍ）、シアン（Ｃ）、黒（Ｋ）のトナー像を形成する。
【００２８】
現像装置１４の上方には、現像剤Ｇ（キャリアを含むトナー）を収容する交換可能な着脱体の一例としてのトナーカートリッジＴと、トナーカートリッジＴの挿抜を案内するとともに、それぞれのトナーカートリッジＴから現像装置１４に現像剤Ｇを供給するトナーカートリッジガイドＴＧが配置されている。
【００２９】
回転する感光体ドラム３１の表面は、帯電器３２により帯電され、露光装置１２から出射する潜像形成光により静電潜像が形成される。感光体ドラム３１上に形成された静電潜像は現像ローラ４２によりトナー像として現像される。
【００３０】
転写装置１５は、各感光体ユニット１３の感光体ドラム３１にて形成された各色トナー像が多重転写される無端部材としての中間転写ベルト５１、各感光体ユニット１３にて形成された各色トナー像を中間転写ベルト５１に順次転写（一次転写）する一次転写ローラ５２、中間転写ベルト５１上に重畳して転写された各色トナー像を記録媒体である用紙に一括転写（二次転写）する二次転写ベルト５３とから構成されている。
二次転写ベルト５３は、二次転写ローラ５４と剥離ローラ５５とによって張架され、中間転写ベルト５１の背面側に配置されたバックアップローラ６５と二次転写ローラ５４とに挟持されて二次転写部（ＴＲ）を形成する。
【００３１】
各感光体ユニット１３の感光体ドラム３１に形成された各色トナー像は、システム制御装置１１により制御される電源装置等（不図示）から所定の転写電圧が印加された一次転写ローラ５２により中間転写ベルト５１上に順次静電転写（一次転写）され、各色トナーが重畳された重畳トナー像が形成される。
【００３２】
中間転写ベルト５１上の重畳トナー像は、中間転写ベルト５１の移動に伴って二次転写ベルト５３が配置された二次転写部ＴＲに搬送される。重畳トナー像が二次転写部ＴＲに搬送されると、そのタイミングに合わせて用紙送り装置２０から用紙Ｐが二次転写部ＴＲに供給される。そして、二次転写ベルト５３を介して二次転写ローラ５４と対向するバックアップローラ６５には、システム制御装置１１により制御される電源装置等から所定の転写電圧が印加され、用紙Ｐに中間転写ベルト５１上の多重トナー像が一括転写される。
【００３３】
感光体ドラム３１表面の残留トナーは、クリーニング装置１００により除去され、廃トナー収容部（不図示）に回収される。感光体ドラム３１の表面は、帯電器３２により再帯電される。
【００３４】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部（定着領域）が形成される。
転写装置１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７ａと加圧ローラ１７ｂにより、圧着と加熱の作用でトナー像が定着される。
【００３５】
定着の終了した用紙は、用紙搬送装置１６ｂを経由して排紙部３０に送り込まれる。
尚、用紙の両面に画像出力を行う場合には、用紙搬送装置１６ｃにより当該用紙の表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙収容部へ排出される。
【００３６】
（２）要部構成
図２は感光体ユニット１３、現像装置１４及びクリーニング装置１００を示す断面模式図、図３はクリーニング装置１００の内部構成を示す断面斜視図、図４はクリーニング装置１００のハウジング１１０及び通気孔１１２を示す斜視図である。
以下、図面を参照しながらクリーニング装置１００の構成と動作について説明する。
【００３７】
（２．１）クリーニング装置の構成
クリーニング装置１００は、感光体ドラム３１と対向するに位置に配設された容器体の一例としてのハウジング１１０と、ハウジング１１０に設けられた開口の下縁部に支持されたシール部材１２０と、ハウジング１１０に回収された回収物としての廃トナーを搬送するトナー回収オーガ１３０と、感光体ドラム３１の表面に接触して配置されたクリーニングブラシ１４０と、感光体ドラム３１の回転方向におけるクリーニングブラシ１４０の下流に配置されたクリーニングブレード１５０と、クリーニングブラシ１４０の表面にニップした状態で配置されたフリッカーバー１６０と、潤滑剤１７０と、ハウジング１１０に形成された通気孔１１２を覆う蓋体１８０と、で主要部が構成されている。
尚、このクリーニング装置１００は、感光体ドラム３１等と一体のユニットとして構成された感光体ユニット１３として、画像形成装置１に着脱可能とされている。
【００３８】
ハウジング１１０は、クリーニングブレード１５０又はクリーニングブラシ１４０が感光体ドラム３１の表面から除去した回収物としてのトナーや紙紛等を収容するものであり、感光体ドラム３１と対向する位置に開口１１１を有している。そして、この開口１１１にクリーニングブラシ１４０及びクリーニングブレード１５０が設けられ、感光体ドラム３１と接触している。
【００３９】
図４に示すように、ハウジング１１０の上面１１０ａ及び側面１１０ｂには、ハウジング１１０の内部と外部を繋ぐように複数の通気孔１１２が設けられている。通気孔１１２が設けられたハウジング１１０の上面１１０ａ及び側面１１０ｂは蓋体１８０で覆われ、蓋体１８０がスライド移動することで、通気孔１１２が外部に開放される状態と閉塞される状態のいずれかに切り替わる。
【００４０】
蓋体１８０は、図５（ａ）に示すように、断面視Ｌ字の板部材であり、ハウジング１１０の上面１１０ａと接触する面には、ハウジング１１０の上面１１０ａに設けられた通気孔１１２に対応するように貫通孔１８１が形成されている。
また、蓋体１８０の一端には、後述する移動手段の一例としての偏心カム２００が接触して蓋体１８０をスライド移動させる押圧部１８２が設けられている。押圧部１８２は、スプリングＳで付勢され、感光体ユニット１３が画像形成装置１に装着されていない状態及び偏心カム２００が押圧部１８２を押圧しない状態では蓋体１８０はハウジング１１０の通気孔１１２を閉塞する閉塞位置に位置している。これにより、ハウジング１１０内へ異物の混入を防止している。
【００４１】
シール部材１２０は、ハウジング１１０の下側の開口１１１の端部に固定支持されており、感光体ドラム３１とハウジング１１０との間の隙間をシールして、クリーニング装置１００内に回収された廃トナーのクリーニング装置１００外への漏出を防止する。シール部材１２０には、例えば、厚さ０．１ｍｍの熱可塑性ポリウレタンフィルムを用いることができる。
【００４２】
トナー回収オーガ１３０は、スクリューからなっており、感光体ドラム３１の表面から除去されてハウジング１１０に収容された廃トナー等を撹拌しながら廃トナーボックス（不図示）に搬送する。
【００４３】
クリーニングブレード１５０は、耐磨耗性、耐欠け性、耐クリープ性などの機械的性質に優れる材料、例えば、熱硬化型ポリウレタンゴム等のウレタンゴムからなり、ハウジング１１０に断面形状がＬ字形の板金１５１で固定支持されている。そして、クリーニングブレード１５０の先端部は予め定められた接触圧で感光体ドラム３１の表面に接触し、感光体ドラム３１の表面からトナーや紙紛等を除去する。
【００４４】
クリーニングブラシ１４０は、基布と、基布上にパイル糸を起毛したブラシ毛１４０ａと、金属製のシャフトとからなり、シャフトの周囲に螺旋状に巻回されてローラ状に形成されている。
【００４５】
クリーニングブラシ１４０の周上にはステアリン酸亜鉛等を主成分に含む潤滑剤１７０が接触して配置され、潤滑剤１７０はブラシ毛１４０ａで掻き取られて感光体ドラム３１の表面に供給され感光体ドラム３１の表面に潤滑剤膜を形成する。
また、クリーニングブラシ１４０の周上にはクリーニングブラシ１４０のブラシ毛１４０ａに接触するようにフリッカーバー１６０が配置され、ブラシ毛１４０ａに付着している廃トナー等を掻き落とすようになっている。
【００４６】
（２．２）クリーニング装置の動作・機能
クリーニング装置１００は、中間転写ベルト５１にトナー像が一次転写された後の感光体ドラム３１上の回収物を清掃する。回収物には、残存現像剤（トナーと外添剤）、用紙から感光体ドラム３１に付着した紙粉などの異物などが含まれる。
【００４７】
クリーニングブラシ１４０は、感光体ドラム３１の表面に接した状態で、図２に矢印Ｂで示すように反時計回りに回転（感光体ドラム１３１は図２に矢印Ａで示すように時計回りに回転する）し、感光体ドラム３１上の回収物を除去しやすいように浮き上がらせる。
また、クリーニングブラシ１４０に付着した潤滑剤を感光体ドラム３１表面に供給して、クリーニングブレード１５０と感光体ドラム３１表面との摩擦力を低減する。
【００４８】
クリーニングブレード１５０は、クリーニングブラシ１４０で浮き上がらせた感光体ドラム３１上の回収物を掻き落とすことにより除去する。
【００４９】
フリッカーバー１６０は、クリーニングブラシ１４０のブラシ毛１４０ａと接触して、クリーニングブラシ１４０の表面に付着したトナーを掻き取る。
【００５０】
そして、トナー回収オーガ１３０は、ハウジング１１０の下方に設けられ、回転することによりクリーニングブレード１５０で除去されたトナーやフリッカーバー１６０でクリーニングブラシ１４０から除去されハウジング１１０内に収容されたトナーを回転軸に沿ってハウジング１１０の外部（廃トナーボックス：不図示）に向けて搬送する。
【００５１】
このように構成されるクリーニング装置１００は、クリーニングブレード１５０とシール部材１２０がハウジング１１０の開口１１１の上下縁で感光体ドラム３１の表面と接触することでハウジング１１０の内部が外部に対して密閉された状態になっている。
ハウジング１１０の内部が密閉されて、感光体ドラム３１の回転が停止した状態が長時間継続した場合に、図８に示すように、感光体ドラム３１の表面が開口１１１に面していた幅Ｗで濃度低下（図中  Ａ部参照）が発生することがあった。
【００５２】
濃度低下は、感光体ドラム３１の表面が感光体ユニット１３が設置された空間（画像形成装置１の内部空間）と接触している部分とクリーニング装置１００のハウジング１１０の開口１１１と接触している部分とで、感光体ドラム３１の表面の水分量に差が発生して帯電電位（露光部電位）差が発生することによるものと推察される。
【００５３】
（３）クリーニング装置の動作
図５（ａ）は画像形成装置１が停止しているときの蓋体１８０の位置を説明するクリーニング装置１００の断面模式図、（ｂ）は画像形成装置１が画像形成動作を行っているときの蓋体１８０の位置を説明するクリーニング装置１００の断面模式図である。以下、図面を参照しながらクリーニング装置１００におけるハウジング１１０の内部の空気の換気について説明する。
【００５４】
画像形成装置１は、駆動源Ｍから回転駆動される移動手段と一例としての偏心カム２００を備えている。偏心カム２００は、図５（ａ）に示すように、感光体ユニット１３が画像形成装置１に装着された状態でクリーニング装置１００の蓋体１８０の一端に形成された押圧部２０１に短径側で接触する閉塞位置に配置されている。
【００５５】
画像形成装置１は、画像形成動作が終了して感光体ドラム３１及びトナー回収オーガ１３０の回転が停止した場合、偏心カム２００を回転させて蓋体１８０を開放位置に移動させることで、ハウジング１１０の内部をハウジング１１０の外部と空間的に繋げる。
【００５６】
システム制御装置１１は、印刷ジョブが終了し、感光体ドラム３１及びトナー回収オーガ１３０の回転が停止した場合、偏心カム２００を回転させ、蓋体１８０を開放位置に移動させる（図５（ｂ）参照）。
これにより、ハウジング１１０の内部がハウジング１１０の外部と空間的に繋がって、ハウジング１１０の内部の空気はハウジング１１０の外部の空気と混じり合うことになり（図５（ｂ）中  矢印Ｆ参照）、ハウジング１１０の内部の湿度をハウジング１１０の外部の湿度に近づけることができる。
【００５７】
そして、印刷ジョブを受け付けた場合、偏心カム２００を回転させて蓋体１８０を閉塞位置に移動させる（図５（ａ）参照）。
これにより、ハウジング１１０の通気孔１１２は閉塞されて、ハウジング１１０内からのトナーの飛散や漏出、ハウジング１１０内へ異物の混入を防止することができる。
【００５８】
このように、画像形成装置１が停止している状態では、ハウジング１１０の内部をハウジング１１０の外部と空間的に繋げることで、ハウジング１１０の内部の湿度がハウジング１１０の外部の湿度に近づき、感光体ドラム３１の表面がハウジング１１０の外部である感光体ユニット１３が設置された空間と接触している部分とハウジング１１０の開口１１１と接触している部分とでその湿度差が少なくなる。
【００５９】
「変形例１」
図６（ａ）は画像形成装置１が停止しているときの変形例１に係る蓋体１８０Ａの位置を説明するクリーニング装置１００の断面模式図、（ｂ）は画像形成装置１が画像形成動作を行っているときの変形例１に係る蓋体１８０Ａの位置を説明するクリーニング装置１００の断面模式図である。  
【００６０】
変形例１に係る蓋体１８０Ａは回転支点１８０ａを有し、偏心カム２００が押圧部１８２Ａを押圧することで、ハウジング１１０の通気孔１１２を閉塞する閉塞位置と、通気孔１１２を外部に露出させる開放位置に回転移動する。
【００６１】
システム制御装置１１は、印刷ジョブが終了し、感光体ドラム３１及びトナー回収オーガ１３０の回転が停止した場合、偏心カム２００を回転させ、蓋体１８０Ａを開放位置に回転させる（図６（ｂ）参照）。
これにより、ハウジング１１０の内部が通気孔１１２を介してハウジング１１０の外部と空間的に繋がって、ハウジング１１０の内部の空気はハウジング１１０の外部の空気と混じり合うことになり（図６（ｂ）中  矢印Ｆ参照）、ハウジング１１０の内部の湿度をハウジング１１０の外部の湿度に近づけることができる。
【００６２】
変形例１に係るクリーニング装置１００においては、蓋体１８０Ａがハウジング１１０に対して回転移動するために、ハウジング１１０の上面１１０ａに設ける通気孔１１２をハウジング１１０の長手方向に繋げたひとつの大きな通気孔１１２としてハウジング１１０の外部の空気をハウジング１１０の内部に効率よく取り入れることができる。
【００６３】
「変形例２」
図７は変形例２に係る画像形成装置１における偏心カム２００の回転動作の制御の流れを示すフローチャートである。
変形例２に係る画像形成装置１は、画像形成装置１が設置される環境の温湿度を検出する検出手段としての温湿度センサＳＮＲを備え、温湿度センサＳＮＲの検知した湿度が所定の湿度を超えたときに、偏心カム２００を回転させてハウジング１１０の内部の空気を換気する。
【００６４】
システム制御装置１１は、印刷ジョブが終了した場合、感光体ドラム３１及びトナー回収オーガ１３０の回転が停止しているか否か判断する（Ｓ１０１）。感光体ドラム３１及びトナー回収オーガ１３０の回転が停止した場合（Ｓ１０１：Ｙｅｓ）、温湿度センサＳＮＲから画像形成装置１内部の湿度情報を取得する（Ｓ１０２）。温湿度センサＳＮＲは、発熱を伴う定着装置１７や電源装置等から直接輻射熱を受けない場所に設置され、測定結果をシステム制御装置１１に出力する。
【００６５】
温湿度センサＳＮＲから温湿度情報を取得すると、取得した温湿度のうち、湿度Ｈが予め定められた湿度閾値Ｈｔｈよりも高いか否か判断される（Ｓ１０３）。
画像形成装置１内部の湿度Ｈが湿度閾値Ｈｔｈよりも高い場合（Ｓ１０３：Ｙｅｓ）、感光体ドラム３１及びトナー回収オーガ１３０が回転しているか否か判断する（Ｓ１０４）。
【００６６】
そして、画像形成装置１内部の湿度Ｈが湿度閾値Ｈｔｈを越え（Ｓ１０３：Ｙｅｓ）、感光体ドラム３１及びトナー回収オーガ１３０が回転していない場合（Ｓ１０４：Ｎｏ）、偏心カム２００を回転させる（Ｓ１０５）。
【００６７】
偏心カム２００を回転させると、図５（ｂ）又は図６（ｂ）に示すように、蓋体１８０、１８０Ａが移動してハウジング１１０の内部が通気孔１１２を介してハウジング１１０の外部と空間的に繋がって、ハウジング１１０の内部の空気はハウジング１１０の外部の空気と混じり合う。その結果、ハウジング１１０の内部の湿度をハウジング１１０の外部の湿度に近づけることができる。
【００６８】
これにより、ハウジング１１０の内部の湿度がハウジング１１０の外部の湿度に近づき、感光体ドラム３１の表面がハウジング１１０の外部である感光体ユニット１３が設置された空間（画像形成装置１の内部空間）と接触している部分とクリーニング装置１００のハウジング１１０の開口１１１と接触している部分とでその湿度差が少なくなる。
【００６９】
システム制御装置１１は、印脱ジョブを受け付けた場合（Ｓ１０６：Ｙｅｓ）、偏心カム２００を再度回転させて蓋体１８０、１８０Ａを閉塞位置に移動させる。これにより、ハウジング１１０の通気孔１１２は閉塞されて、ハウジング１１０内からのトナーの飛散や漏出、ハウジング１１０内へ異物の混入を防止することができる。
【符号の説明】
【００７０】
１・・・画像形成装置
１０・・・画像形成部
１１・・・システム制御装置
１２・・・露光装置
１３・・・感光体ユニット
１４・・・現像装置
１５・・・転写装置
１７・・・定着装置
２０・・・用紙送り装置
３０・・・排紙部
４０・・・操作表示部
５０・・・画像処理部
１００・・・クリーニング装置
１１０・・・ハウジング
１１１・・・開口部
１１２・・・通気孔
１２０・・・シール部材
１３０・・・トナー回収オーガ
１４０・・・クリーニングブラシ
１５０・・・クリーニングブレード
１８０、１８０Ａ・・・蓋体
１８１・・・貫通孔
２００・・・偏心カム
【図１】
2019035918.tif 000003
【図２】
2019035918.tif 000004
【図３】
2019035918.tif 000005
【図４】
2019035918.tif 000006
【図５】
2019035918.tif 000007
【図６】
2019035918.tif 000008
【図７】
2019035918.tif 000009
【図８】
2019035918.tif 000010